(57)【要約】      （修正有）【課題】現場におけるシンクの満水試験に手軽かつ安全に使用できるシンクの満水試験用治具を提供する。【解決手段】シンクＳの排水口１を覆う可撓性部材２と、可撓性部材２の中央部を貫通して上面に延長された筒体３からなり、筒体３の長さがシンクＳの深さＨを超えない長さであり、好ましくは前記筒体３が短い筒体３ａと長い筒体３ｂで形成されその間が脱着可能に構成されてなる。【選択図】図２
0003196297.tif 000002
【実用新案登録請求の範囲】
【請求項１】
シンクの排水口を覆う可撓性部材と、該可撓性部材の中央部を貫通して上面に延長された筒体とからなり、該筒体の長さがシンクの深さを超えない長さであることを特徴とするシンクの満水試験用治具。
【請求項２】
前記筒体が前記可撓性部材取り付けられた短い筒体と、該短い筒体に脱着可能な長い筒体とで構成されたことを特徴とする請求項１に記載のシンクの満水試験用治具。
【請求項３】
前記短い筒体に大きさの異なる複数の可撓性部材が脱着可能に取り付けられてなることを特徴とする請求項１又は２に記載のシンクの満水試験用治具。
【考案の詳細な説明】
【技術分野】
【０００１】
本考案はシンクの満水試験用治具に関する。
【背景技術】
【０００２】
床パン等の排水トラップ及び／あるいは配水管の水漏れ検査として、排水トラップ及び／あるいは該排水トラップに繋がる配水管の適位置に封水栓を取り付けた上で、排水口から水を注ぎ込んで水漏れが起こるかどうかを見ることが行なわれている（特開平１０−１２３００７公報、図７、図８参照）。  また、シンクの排水トラップ及び／あるいは配管の水漏れ及び流れの検査では、シンクの排水口を適宜の方法で塞いでシンク内を満水にした後、排水口を開放して一気且つ連続的に水を流して漏水及び水の流れを検査する満水試験が行なわれている。
【先行技術文献】
【特許文献】
【０００３】
【特許文献１】特開平１０−１２３００７公報、図７、図８
【考案の概要】
【考案が解決しようとする課題】
【０００４】
しかしながら、従来、前記排水口の開閉を効果的に行なう治具が提供されていなかったため現場での満水試験に手数を要するという問題があった。  
【０００５】
本考案はかかる従来の不都合に着目してなされたものであり、その目的とするところは、現場におけるシンクの満水試験に手軽且つ安全に使用できる治具を提供することを目的とする。
【０００６】
すなわち、本考案は、シンクの排水口を覆う可撓性部材と、該可撓性部材の中央部を貫通して上面に延長された筒体とからなり、該筒体の長さがシンクの深さを超えない長さであることを特徴とする（請求項１）。  
【０００７】
前記可撓性部材は、ゴムあるいはプラスチック等のシート材で形成され、シンクの底部の形状に合わせて密着する柔軟性を有し透水性を有しない。また、排水口に適合する大きさではなく、これまでに提供されている各種シンクの径の異なる排水口の塞ぎにも利用できるように、予め、大きく形成することが望ましい。  
【０００８】
また、前記筒体は硬質プラスチック等で形成される。さらに、その長さ（高さ）がシンクの深さを超えない長さとされる。このように、筒体の長さを規制すると、不注意により注水の停止を忘れた場合であってもシンクからの水の溢れを防止することができ安全である。  
【０００９】
すなわち、前記筒体の長さを超えた水は該筒体の上端からその内部を通って排水口に流入し、以後、シンク内部の水位を上げることがなくシンクからの水の溢れが防止される。なお、前記筒体の長さは各種のシンクごとに決める必要はなく一般に提供されているシンクに合わせて決めることができる。  
【００１０】
好ましい一実施例として、前記筒体を前記可撓性部材が取り付けられる短い筒体と、該短い筒体に脱着可能な長い筒体とで構成したことを特徴とする（請求項２）。この実施例によれば、治具を携帯する際あるいは格納する場合には筒体を分解してコンパクト構成することができる。  
【００１１】
さらに、好ましい一実施例として、前記短い筒体に大きさの異なる複数の可撓性部材が脱着可能に取り付けたことを特徴とする（請求項３）。この実施例によれば、各種のシンクの満水試験に可撓性部材を交換して手軽に使用できる。また、前記筒体のみならず可撓性部材自体も分解可能となり治具を携帯する際あるいは格納する場合などの取り扱いが容易である。
【考案の効果】
【００１２】
本考案によれば、前記可撓性部材によってシンクの排水口を覆った後、注水を行なえばよい。つぎにシンク内に必要量の貯水が完了したら前記筒体の上端を操作して手を濡らすことなく排水口を開放し、排水トラップさらに該排水トラップに繋がる配管に一気に且つ連続的に水を供給することができる。そしてその水供給時に水漏れ箇所及び水の流れの確認が行なわれる。なお、前記操作は一回に限らず数回行なってもよく本考案によれば手軽に行なうことができる。  
【００１３】
その他、本考案によれば、注水中におけるシンクからの水の溢れを防止することができ安全が確保されるほか、携帯する際あるいは格納する場合にコンパクトに構成することができる。  
【００１４】
以上、本考案について簡潔に説明した。更に、以下に本考案を実施するための最良の形態を添付の図面を参照して詳細に説明する。
【図面の簡単な説明】
【００１５】
【図１】本考案に係るシンクの満水試験用治具の平面図である。
【図２】図１のＡ−Ａ線断面図及び使用状態図である。
【考案を実施するための形態】
【００１６】
以下、本考案の一実施の形態に係るシンクの満水試験用治具を図１及び図２を参照して説明する。
【００１７】
図１及び図２に示すように、本考案の一実施の形態に係るシンクの満水試験用治具は、シンクＳの排水口１を覆う、ゴムあるいはプラスチック等のシート材からなる可撓性部材２と、該可撓性部材２の中央部を貫通して上面に延長された硬質プラスチック等からなる筒体３とからなる。なお、該筒体３の長さ（高さ）はシンクＳの深さＨを超えない長さとされる。  
【００１８】
さらに、図面の一実施例では、前記筒体３は、鍔部５を有し前記可撓性部材２が嵌挿された短い筒体３ａと該短い筒体３ａに脱着可能な長い筒体３ｂで構成されている。  
【００１９】
すなわち、前記短い筒体３ａの上端部の外周に前記長い筒体３ｂの下端部の内周が適合させられて脱着可能に構成されている。したがって、携帯する際あるいは格納する場合には前記長い筒体３ｂを前記短い筒体３ａから分離してコンパクトに構成することができる。  
【００２０】
図中、４は、前記短い筒体３ａに前記可撓性部材２とともに嵌挿された大きさの異なる可撓性部材であり、前記可撓性部材２とともに前記短い筒体３ａに脱着自在に取り付けられている。したがって、前記筒体３と分解自在である。なお、図中、Ｗは水面である。
【符号の説明】
【００２１】
１  排水口２、４  可撓性部材３  筒体Ｓ  シンクＨ  シンクの深さ
【図１】
0003196297.tif 000003
【図２】
0003196297.tif 000004
【手続補正書】
【提出日】平成26年12月18日(2014.12.18)
【手続補正１】
【補正対象書類名】実用新案登録請求の範囲
【補正対象項目名】全文
【補正方法】変更
【補正の内容】
【実用新案登録請求の範囲】
【請求項１】
シンクの排水口を覆う可撓性部材と、該可撓性部材の中央部を貫通して上面に延長された筒体とからなり、該筒体の長さがシンクの深さを超えない長さであることを特徴とするシンクの満水試験用治具。
【請求項２】
前記筒体が前記可撓性部材に取り付けられた短い筒体と、該短い筒体に脱着可能な長い筒体とで構成されたことを特徴とする請求項１に記載のシンクの満水試験用治具。
【請求項３】
前記短い筒体に大きさの異なる複数の可撓性部材が脱着可能に取り付けられてなることを特徴とする請求項２に記載のシンクの満水試験用治具。